(57)【要約】【課題】オーディオ記録媒体に多数の曲を収録し、ジャンル等を指定して検索し、順に再生するとき、曲間に長い無音時間があると気分が白けることがある。【解決手段】ＤＪ付再生機能選択部１３で曲間ＤＪ付再生を選択したとき、利用者指定のジャンル等について、指定種類曲検索部１５でオーディ記録媒体２から該当する曲を検索し、再生曲データ先読み記録部１６の第１記録部１７と第２記録部１８に交互に記録する。指定曲再生・出力部２０から第１の曲の出力が終了したことを再生終了検出部２１で検出したとき、ＤＪ音声出力部３１を作動し、ＤＪ出力用データメモリ２３に記録されている現在再生中の曲のジャンルに合わせたＤＪを選択し、再生中の曲のエンディング部分の平均音量でＤＪ出力を開始し、次の曲の初め部分の平均音量でＤＪ出力を終了し、その後次の曲の再生を開始する作動を繰り返す。その際、ＤＪ画像を画像表示部３３に表示する。【選択図】        図１
2004280911.tif 000002
【特許請求の範囲】
【請求項１】
オーディオデータを記録したオーディオ記録媒体から所定の種類の曲を検索する検索手段と、
前記検索手段により得られた曲を順に再生して出力するオーディオ再生手段と、
前記順に再生して出力する第１と第２の曲間にＤＪを挿入するＤＪ出力手段とを備えたことを特徴とする曲間ＤＪ付オーディオ再生装置。
【請求項２】
前記ＤＪ出力手段から出力するＤＪは、前記検索手段で検索する曲の種類に応じて異なることを特徴とする請求項１記載の曲間ＤＪ付オーディオ再生装置。
【請求項３】
前記所定の種類の曲は、所定のジャンルの曲であることを特徴とする請求項１記載の曲間ＤＪ付オーディオ再生装置。
【請求項４】
前記第１の曲の終わりの所定時間の平均音量と、前記第２の曲の初めの所定時間の平均音量とを演算する平均音量演算手段を備え、
前記ＤＪ出力手段から出力するＤＪは、前記第１の曲の終わりの所定時間の平均音量で出力を開始し、前記第２の曲の初めの所定時間の平均音量で出力を終了するＤＪ音量調整手段を備えたことを特徴とする請求項１記載の曲間ＤＪ付オーディオ再生装置。
【請求項５】
前記第１の曲の終わりの所定時間のピーク音量と、前記第２の曲の初めの所定時間のピーク音量とを検出するピーク音量検出手段を備え、
前記ＤＪ出力手段から出力するＤＪは、前記第１の曲の終わりの所定時間のピーク音量で出力を開始し、前記第２の曲の初めの所定時間のピーク音量で出力を終了するＤＪ音量調整手段を備えたことを特徴とする請求項１記載の曲間ＤＪ付オーディオ再生装置。
【請求項６】
画像表示手段を備え、
前記ＤＪ出力時に、ＤＪ出力に対応した画像を前記画像表示手段に出力するＤＪ画像出力手段を備えたことを特徴とする請求項１記載の曲間ＤＪ付オーディオ再生装置。
【発明の詳細な説明】
【０００１】
【発明の属する技術分野】
本発明は、主として車両等に搭載するオーディオ再生装置に関し、特に多数の曲を記録したオーディオデータ記録媒体から任意の種類の曲を選択して再生するに際し、各曲間にディスクジョッキー（ＤＪ）風のナレーションを自動的に挿入して再生することができるようにした、曲間ＤＪ付オーディオ再生装置に関する。
【０００２】
【従来の技術】
近年のオーディオ再生装置において、その記録媒体は従来より用いられているカセットテープから、ＣＤ、ＭＤ等のディスク記録媒体が主として用いられるようになり、また大容量のＤＶＤも使用されるようになっている。更に近年は大容量ハードディスクが安価に手に入るようになったためハードディスクも利用されるようになっている。これらのオーディオデータ記録媒体においては、例えばＣＤ−Ｒ・ＲＷ、或いはＤＶＤ−Ｒ・ＲＷを含め、種々の曲を利用者が任意に録音可能となり、自分の好みによって各種音楽を記録して利用することが行われるようになっている。
【０００３】
また、これらの記録媒体にオーディオデータを記録する方式についても、オーディオデータ圧縮技術の進歩により各種の方式でこれらの記録媒体に記録することが行われるようになっており、例えばＭＰＥＧ方式で圧縮を行うＭＰ３方式、Ｗｉｎｄｏｕｓ  Ｍｅｄｉａ  Ａｕｄｉｏ（ＷＭＡ）方式等、種々の圧縮方式が提案され利用されている。これらのオーディオデータ圧縮技術を用いて、前記のような各種の記録媒体に記録することが行われている。
【０００４】
したがって１枚のＣＤ−ＲやＣＤ−ＲＷに１００曲以上の曲を記録し、また１枚のＭＤに数十曲以上の曲を記録しこれを再生して利用することが行われ、ＤＶＤ−ＲやＤＶＤ−ＲＷ、更にはハードディスクについても同様である。特にハードディスクについては数十Ｇから１００Ｇ以上の大容量のものが安価に提供されるようになっており、このような記録媒体に前記のようなオーディオ圧縮技術で圧縮された曲を記録する際には、莫大な数の曲を記録することも可能となる。
【０００５】
このように、近年のオーディオ再生装置においては、利用者自身が保有する各種媒体の曲を例えばＣＤ−Ｒ等に対してＭＰ３等により圧縮して多量に記録し、これを家庭内のオーディオ再生装置で利用するほか、携帯用オーディオ再生装置で利用し、更には車両のオーディオ再生装置でも利用するようになっている。これらのオーディオ再生装置においては、例えばＣＤチェンジャやＭＤチェンジャ、更にはＤＶＤチェンジャ等を用い、より多量の曲を一つの操作で任意に再生することができるようにもなっている。
【０００６】
また、前記のように、大容量のハードディスクが安価に且つ小型のものが提供されるようになった結果、今後は小型のカセット式のハードディスクドライブ（ＨＤＤ）を用い、このＨＤＤをパソコンに対して例えばＵＳＢケーブル等により接続し、パソコンの内部ハードディスク、或いはこのパソコンに接続された他の外部ハードディスク等に記録されている多数の曲をダウンロードして、その小型のカセット式のＨＤＤを車両用オーディオ再生装置に対して装填して再生することも可能となっている。
【０００７】
その際には、大量の曲を元のアルバム単位で再生し、或いは順に、またはランダムで再生する以外に、オーディオ再生装置に検索機能を設け、各曲についてオーディオデータ以外に記録されている例えばその曲のアーティスト名、ジャンル番号等のデータを利用し、利用者が指定したアーティストやジャンルの曲のみを選択して再生することもできる。これらのデータについては、前記のようなＭＰ３方式で記録されているオーディオデータは、各種再生用プログラムとともに記録されているＩＤ３タグ部分のデータを読み込むことによって可能となる。
【０００８】
なお、このような各曲のデータを用いてＣＤ等に収録されている曲のタイトル情報を取り込んで利用する技術は、例えば特許文献１に記載されている
【０００９】
【特許文献１】
特開平４−２９１０７７号公報
【００１０】
【発明が解決しようとする課題】
上記のように、近年のオーディオ再生装置においては、例えばハードディスク等の記録媒体にＭＰ３等で圧縮し多量に記録している曲を、ＩＤ３タグ等の部分のデータを用いて、アーティストやジャンル等を指定して検索を行い、該当する曲を順に再生することができるようになっている。
【００１１】
その際、例えばジャンルを指定して検索を行った結果得られた曲を順に再生するに際して、多くの場合は１つの曲の再生が終了した後、これらの曲を単に連続して再生することは再生処理が容易であるものの、その際には利用者は再生する曲が変わった時期がわからずに聴いてしまうこととが多くなり、また前の曲のイメージが次の曲に影響することともなるので好ましくない。そのため、１つの曲を再生した後、例えば５秒等の所定間隔を置いて次の曲の再生を開始することも行われる。
【００１２】
しかしながら、オーディオ再生装置の作動中に、前記のような曲の間の比較的長い無音の時間が存在することは、例えばロックの曲を連続して聴いているとき、この無音の時間でせっかくの高揚した気分がさめてしまい、好ましくないため、何らかの対策が必要となる。
【００１３】
したがって本発明は、多数の曲の中から例えばジャンル等の曲の種類を指定して検索を行い、該当する曲を任意に選択して順に再生するに際し、再生する曲が変わることを利用者に明瞭に示すことができ、且つ、曲の間に長い無音の時間が存在しないように再生することができるオーディオ再生装置を提供することを主たる目的とする。
【００１４】
【課題を解決するための手段】
本発明は、上記課題を解決するため、例えばハードディスク等のオーディオデータ記録媒体にＭＰ３等によって多数記録されている曲の中から、利用者が指定した特定ジャンルや特定アーティストの曲を検索して該当する曲を順に再生するに際して、予めジャンル等によって雰囲気の異なるディスクジョッキー風のナレーション（以下「ＤＪ」という）を記録しているデータを読み込んで、前の曲が終了した後ほぼ同時にこのＤＪを再生し、そのＤＪが終了した後続いて次の曲を再生するようにする。
【００１５】
また、前記のように曲と曲との間に挿入するＤＪは、例えば前の曲のエンディング部分が音量が小さく比較的静かな状態が続いて曲が終了した後、次の曲の立ち上げ部分が極めて大きな音量であるときには、利用者にとって予期せぬ大音量に驚かされ不愉快に感じることがあるので、これを防止するため前記ＤＪの音量を前の曲のエンディング部分の音量から次の曲の出初め部分の音量に徐々に変化させることによって、前記のような不愉快な感じを抱かせないようにし、自然に連続して曲を聴くことができるようにする。その他、種々の手段を用いることによって、より効果的なＤＪの曲間挿入を行わせるようにしたものである。
【００１６】
上記のような機能を行わせるため、本発明によるオーディオ再生装置は、オーディオデータを記録したオーディオ記録媒体から所定の種類の曲を検索する検索手段と、前記検索手段により得られた曲を順に再生して出力するオーディオ再生手段と、前記順に再生して出力する第１と第２の曲間にＤＪを挿入するＤＪ出力手段とを備えたものである。
【００１７】
また、前記のような曲間ＤＪ付オーディオ再生装置において、前記ＤＪ出力手段から出力するＤＪは、前記検索手段で検索する曲の種類に応じて異なるようにしたものであり、他の曲間ＤＪ付オーディオ再生装置においては、前記所定の種類の曲を、所定のジャンルの曲としたものである。また、更に他の曲間ＤＪ付オーディオ再生装置においては、前記第１の曲の終わりの所定時間の平均音量と、前記第２の曲の初めの所定時間の平均音量とを演算する平均音量演算手段を備え、前記ＤＪ出力手段から出力するＤＪは、前記第１の曲の終わりの所定時間の平均音量で出力を開始し、前記第２の曲の初めの所定時間の平均音量で出力を終了するＤＪ音量調整手段を備えたものである。
【００１８】
また、他の曲間ＤＪ付オーディオ再生装置においては、前記第１の曲の終わりの所定時間のピーク音量と、前記第２の曲の初めの所定時間のピーク音量とを検出するピーク音量検出手段を備え、前記ＤＪ出力手段から出力するＤＪは、前記第１の曲の終わりの所定時間のピーク音量で出力を開始し、前記第２の曲の初めの所定時間のピーク音量で出力を終了するＤＪ音量調整手段を備えたものであり、また、他の曲間ＤＪ付オーディオ再生装置においては、画像表示手段を備え、前記ＤＪ出力時に、ＤＪ出力に対応した画像を前記画像表示手段に出力するＤＪ画像出力手段を備えたことを特徴とする請求項１記載の曲間ＤＪ付オーディオ再生装置としたものである。
【００１９】
【発明の実施の形態】
本発明の実施の形態を図面に沿って説明する。図１は本発明によるオーディオ再生装置において、特にＤＪの曲間挿入を行う機能を中心として示した機能ブロック図である。同図において各機能を行う機能部は、各々の機能を行う手段ということができる。
【００２０】
図１においてオーディオ記録媒体作動部１には例えばＣＤ−Ｒ・ＲＷ、ＭＤ、ＤＶＤ−Ｒ・ＲＷ、或いはディスクチェンジャに装填されたこれらのディスク、更には外部から装填式のハードディスクを含む各種ハードディスク、その他メモリスティック等の各種のオーディオ記録媒体２が用いられ、このオーディオ記録媒体２はシステムコントローラ１１の指示により作動するデータアクセスドライバ３によって所定の曲にアクセス可能となっており、このようにしてアクセスした曲のオーディオデータの外、例えばＣＤにおけるＴＯＣのデータ、ＭＰ３におけるＩＤ３タグデータ等のデータについてもデータ取込部４で取り込むことを可能としている。
【００２１】
これらのオーディオ記録媒体には、通常のＣＤ、ＭＤ、ＤＶＤオーディオのデータで記録することも可能であるが、特にこれらのオーディオデータをＭＰ３形式、或いはＷＭＡ形式等で圧縮して記録することにより多量のオーディオデータが記録可能となる。
【００２２】
例えばオーディオ記録媒体２にＭＰ３形式のデータが記録されているときには、データアクセスドライバ３によって特定の曲の記録部分にアクセスし、その曲のデータをデータ取込部４から取り込んでシステムデコーダ６に出力する。システムデコーダ６においては、システムコントローラ１１の指示により、前記データ取込部４で取り込んだデータの中から、ＩＤ３タグ部分に記録されているアーティスト名やジャンルの種類を表すジャンル番号等のファイル情報７と、曲自体の信号データであるオーディオデータ８とに分離し、各々デコードする。また、これらのデータを再生曲データ先読み記録部１６に出力し、その中の第１記録部１７または第２記録部１８のいずれかに記録する。このように、図示実施例における再生曲データ先読み記録部１６には、少なくとも２つの曲のデータを先読みして記録する記録部を設けている。
【００２３】
システムコントローラ１１には、例えばリモコンの操作部、プレーヤに設けたキースイッチやロータリーエンコーダ等の各種操作部１２から、利用者の種々の指示信号を入力可能としている。図示実施例においては特に、この各種操作部１２からの信号のうち本発明による曲間ＤＪ付オーディオ再生機能を行わせる信号をＤＪ付再生機能選択部１３に入力しており、また、各種操作部１２からの信号のうちＤＪ付再生機能の選択信号の後に入力する、例えばジャンルやアーティスト等の再生曲の種類を示す信号を再生曲種類指定部１４に入力している。
【００２４】
ＤＪ付再生機能選択部１３に前記のような信号が入力したときには、その信号をシステムコントローラ１１に出力し、以降このオーディオ再生装置においてはＤＪ付再生の処理を行うこととなる。また、再生曲種類指定部１４に各種操作部１２から前記のように、ジャンルやアーティスト等の再生曲の種類が指定されたときには、その信号を指定種類曲検索部１５に出力し、システムコントローラ１１を介してオーディオデータ記録媒体２に記録されている多数の曲の中から、前記のようにして指定された再生曲の種類に合致する曲を検索する。また、検索した結果合致する曲が存在するときには、その曲が記録されているファイル番号等を記録しておき、その検索結果のデータに基づいて順にデータアクセスドライバ３によって所定の曲のデータを取り込むことができるようにする。
【００２５】
再生曲種類指定部１４に入力したジャンルやアーティストの再生曲種類の指示信号はＤＪ選択部２４にも出力し、後述するように再生する曲の間に挿入するＤＪを、再生曲のジャンル等の曲の種類に応じて変化させるため、ＤＪ出力用メモリ２３に記録されている種々のジャンル等の曲の種類に対応するＤＪ用データを選択して、後述するようなＤＪ音声出力部３１、及びＤＪ画像出力部３４に対して出力することができるようにしている。
【００２６】
図１に示す例においてはＤＪ出力用データメモリ２３を別途設ける以外に、オーディオ装置でアクセスすることができる記憶手段であればいかなるメモリでも使用することができ、例えばオーディオ記録媒体２においてハードディスクを用いている場合には、そのハードディスクに記録しておくことができる。また、再生曲を選択するために指定するジャンルと、ジャンル対応のＤＪとは必ずしも一致させる必要はなく、いくつかのジャンルをまとめて同様のＤＪを出力するように設定しても良い。
【００２７】
再生曲データ先読み記録部１６における第１記録部１７と第２記録部１８に記録された再生曲のオーディオデータは、指定曲再生・出力部２０に順に出力し、例えば第１記録部１７に記録された再生曲のデータが全て出力したことを検出し、第２記録部１８に既に次の再生曲のデータが存在するときには、その次に取り込まれる再生曲のデータは、再生が全て終了した第１記録部１７に記録する。したがって、再生曲データ先読み記録部１６においては各記録部に対して交互にデータを記録しており、いずれかが現在再生している曲のオーディオデータ、他方が次に再生する曲のオーディオデータとなる。
【００２８】
指定曲再生・出力部２０においては、指定された曲を順に前記再生曲データ先読み記録部１６のいずれかの記録部から取り込み、これを再生してオーディオ出力部３２に出力する。再生終了検出部２１においては、指定曲再生・出力部２０から出力している曲の再生が全て終了したことを検出し、その信号をＤＪ音声出力部３１に出力する。
【００２９】
平均音量演算部２６においては、現在再生曲の曲終わり所定部分平均音量演算部２７と、次再生曲の曲初め所定部分平均音量演算部２８とを備えている。そのうち現在再生曲の曲終わり所定部分平均音量演算部２７においては、再生曲データ先読み記録部１６における第１記録部１７または第２記録部１８に記録されているオーディオデータのうち、現在再生している曲のデータが記録されている記録部のデータを用い、その曲の再生終了部分から例えば３秒間前まで等の所定部分の音量データを読み出し、その平均値を求める演算を行う。
【００３０】
また、次再生曲の曲初め所定部分平均音量演算部２８においては、再生曲データ先読み記録部１６の中の、前記現在再生している曲のデータを記録している記録部ではない側の記録部に先読みして記録しているデータを用い、その曲の再生開始部分から例えば３秒間等の所定部分の音量データを読み出し、その平均値を求める演算を行う。
【００３１】
ＤＪ音量調整部３０においては、ＤＪ音声出力部３１で現在再生している曲と次に再生する曲との間に挿入する、ＤＪ選択部２４で選択された所定のＤＪの音量が、前記現在再生曲の曲終わり所定部分平均音量演算部２７で演算した平均音量から始まって、次再生曲の曲初め所定部分平均音量演算部２８で演算した平均音量で終わるように調整を行う。ＤＪ音声出力部３１においては前記ＤＪ選択部２４で選択したＤＪ用データを入力し、再生終了検出部２１が指定曲再生・出力部２０において現在出力している曲の再生が全て終了したことを検出したときに出力される信号によって、前記ＤＪ音量調整部３０からの音量調整信号に基づいて音量調整を行いながら、オーディオ出力部３２にＤＪ音声を出力し、オーディオ出力部３２からＤＪを出力する。このとき、ハードディスク等のＤＪ出力用データメモリ２３に記録された音声データが、例えばＭＰ３等の圧縮したデータであるときには、ＤＪ音声出力部３１においてこれを通常のオーディオデータに変換して再生し、オーディオ出力部３２に出力する。
【００３２】
このようにＤＪの音声をオーディオ出力部３２から出力しているとき、そのオーディオ再生装置に画像表示部３３を備えているときには、ＤＪに合わせた雰囲気の画像を表示するため、ハードディスク等のＤＪ出力用データメモリ２３に各種ＤＪに合わせた雰囲気の画像データを記録しておき、ＤＪ選択部２４で選択したＤＪに対応する画像データをＤＪ画像出力部３４に出力し、その画像を画像表示部３３に表示するようにしても良い。画像表示部３３におけるこれらの表示画像の切り替えは、システムコントローラ１１によって行われる。
【００３３】
ＤＪ音声出力部３１から所定のＤＪの出力が終了したことをＤＪ出力終了検出部２５で検出し、その信号を指定曲再生・出力部２０に出力し、指定曲再生・出力部２０はこの信号を入力したとき再生曲データ先読み記録部１６に記録されている次の曲のオーディオデータを選択して読み込み、これを再生してオーディオ出力部３２に出力する。
【００３４】
図１に示す実施例においては、再生曲数計数部２２を備え、このオーディオ装置において前記のような曲間ＤＪ付再生を行っているときには、再生曲データ先読み記録部１６に先読みされた曲の数を積算して計数し、その計数値が例えば１０曲等の所定の値になったときにその信号をシステムコントローラ１１に出力し、一連のＤＪ付再生処理を終了することができるようにしている。
【００３５】
上記のような各種機能ブロックから構成されるオーディオ再生装置においては、例えば図２に示すＤＪ付きオーディオ再生処理１と、それに引き続き処理される図３のＤＪ付きオーディオ再生処理２の作動フローに従って順に作動させることができる。以下、これらの作動フローを前記図１及び他の各種図面を参照しつつ説明する。
【００３６】
ＤＪ付きオーディオ再生処理の最初には、このオーディオ再生装置の利用者によって、再生曲間にディスクジョッキー（ＤＪ）の音声を挿入して再生する機能を選択する入力を行うことによって開始される（ステップＳ１）。これは図１におけるＤＪ付再生機能選択部１３が、利用者がオーディオ再生装置の機能選択画面に沿ってリモコン等の各種操作部１２を操作して、ＤＪ付再生機能を選択したことを検出することにより行われる。
【００３７】
次いで、利用者によってこれから聴きたい曲のジャンル等の選択が行われる（ステップＳ２）。これは図１における再生曲種類指定部１４が、利用者が前記ＤＪ付再生機能選択の操作によって表示される、例えばジャンル選択画面にしたがって、例えば「ロック」等の再生曲のジャンルの種類を選択することによって行われる。
【００３８】
その際には、例えば図６（ａ）に示すような表示をオーディオ再生装置の画像表示部に表示し、利用者が容易に選択を行うことができるようにする。即ち図６（ａ）に示す例においては、現在このオーディオ装置においてＤＪ付オーディオ再生処理を行う機能を選択したことを示す「Ｍｙ−ＤＪ］マークを表示し、その横に再生する曲のジャンルを列挙し、利用者がリモコンのカーソル機の操作等によってこの画像をスクロールしつつ選択を行い、決定キーの操作よって選択の決定を行うようにする。このような操作により、ステップＳ３におけるＤＪの種類の選択が行われる。これは図１におけるＤＪ選択部２４が、再生曲種類指定部１４で指定した特定のジャンルと、必用に応じてＤＪの長さ等の選択をすることによって行われる。なお、ＤＪの長さは、３秒間用、５秒間用等、種々の長さのものを用意しておくことが好ましい。
【００３９】
なお、図６（ａ）に示す画面表示例においては、このオーディオ再生装置はＨＤＤを用いていること、また曲の種類の選択を行うこと、及び一連の指定ジャンルの検索曲の再生が終了した後、更に同じジャンルの曲の検索と再生を行うときには、「Ｒｅｐｅａｔ」部分にカーソルを移動して決定操作することにより、容易に繰り返し作動を行うことができるようにしている。
【００４０】
次いで、前記ステップＳ２において利用者が選択した再生する曲のジャンル等の曲の種類にしたがって、オーディオ記録媒体に記録されている多数の曲の中から該当する第１番目の曲の検索を行う（ステップＳ４）。その後、この検索の結果該当する曲がオーディオ記録媒体に存在するか否かの判別を行い（ステップＳ５）、存在するときには検索した第１曲目のデータの読み出し、及びそのデータの記録を行うを行う（ステップＳ６）。
【００４１】
これらの作動は、図１の指定種類曲検索部１５が、再生曲種類指定部１４で指定されたジャンル等にしたがって、システムコントローラ１１がデータアクセスドライバ３を作動し、オーディオ記録媒体２に記録されている各曲のデータ記録部にアクセスして、該当する曲が存在するか否かを検索し、また検索の結果該当する曲が存在するときは、最初に見出した曲等の特定の曲を第１番目の曲としてデータ取込部４で取り込み、これをシステムデコーダ６に出力し、ファイル情報７とオーディオデータ８とを分離し、再生曲データ先読み記録部１６のいずれかの記録部に記録することにより行われる。
【００４２】
その際、オーディオ記録媒体２に記録されているオーディオデータがＭＰ３の記録方式である場合には、そのＩＤ３タグ部分に例えば図４に示すようなデータが記録されており、したがって指定種類曲検索部１５がこの部分に記録されているジャンル番号を読み取ることによって行われる。なお、このジャンル番号は、例えば図５に示すように予め定められたジャンル番号−名称対応表が存在し、各オーディオ再生装置がこのデータを所持していることにより、容易に検索を行うことができる。
【００４３】
曲のジャンルについては国際的取り決めによって前記図５に示すように細かく分類されているので、このようなジャンルの分類により再生曲の選択を行うことは煩わしいことが考えられる。そのため、例えばこのジャンルを「１．Ｒｏｃｋ」「２．Ｐｏｐ」「３．Ｂｌｕｅｓ」「４．Ｌａｔｉｎ」「５．Ｃｏｕｎｔｒｙ」「６．Ｅｌｅｃｔｒｏｎｉｃａｌ」「７．Ｅａｓｙ  Ｌｉｓｔｅｎｉｎｇ」「８．Ｗｏｒｌｄ」「９．Ｈｉｐ−ｈｏｐ」「１０．Ｍｅｔａｌ」「１１．Ｒｅｇｇａｅ」「１２．Ｎｅｗ  Ａｇｅ」のように大まかなジャンル分類と、その分類に属する前記細かなジャンル分類とを対応して記憶させおき、利用者に対して前記のような大まかなジャンルを提示し、その中から任意のものを選択させ、選択された大まかなジャンルに対応する複数の細かなジャンル分類番号のいずれかに該当する曲がオーディオ記録媒体内に収録されているか否かによって検索を行うようにしても良い。
【００４４】
なお、前記ステップＳ２において、利用者が希望する再生曲の種類としてジャンルによって選択する以外に、例えば特定のアーティストの曲のみを抽出して聴きたいと思ったときには、ここでアーティストを選択することによって、前記ジャンルの場合とほぼ同様の手法によって検索を行うことが可能である。
【００４５】
前記ステップＳ６において第１曲目のデータの読み出しとそのデータの記録を行った後は、そのデータを用いて第１番の曲の例えば最初から３秒間等の所定時間の平均音量Ｂを演算する（ステップＳ７）。この作動は図１における平均音量演算部２６における次再生曲の曲初め所定部分平均音量演算部２８において、再生曲データ先読み記録部１６におけるいずれかの記録部に記録されている、次再生曲の音量データを抽出し演算することによって行うことができる。
【００４６】
なお、この実施例においては平均音量を演算した例を示しているが、この所定時間における最大音量（ピーク音量）を求めても同様に実施することができる。その際には、図１の平均音量演算部２６は、ピーク音量演算部となり、現在再生曲の曲終わり所定部分平均音量演算部２７は、現在再生曲の曲終わり所定部分ピーク音量演算部となり、次再生曲の曲初め所定部分平均音量演算部２８は、次再生曲の曲初め所定部分ピーク音量演算部となる。
【００４７】
次いで、図示実施例においては予め定められた設定音量でＤＪの出力を開始している（ステップＳ８）。但し、前記ステップＳ５において利用者が指定したジャンル等の曲の種類に該当する曲が存在すると判別され、その曲のデータ読み出しとそのデータに基づく最初の所定時間の平均音量Ｂの演算を行うとき、その速度が１秒程度で行うことができる場合は、この設定音量でのＤＪ出力の開始は、ステップＳ５において該当する曲が存在すると判別した時点で開始することもできる。
【００４８】
このステップＳ８におけるＤＪの出力開始時には、このオーディオ再生装置の画面表示部に、例えば図６（ｂ）に示すように、選択した曲のジャンルに対応したアニメーション動画等を表示し、オーディオ再生の雰囲気効果を上げた例を示している。この画面表示部には、同図（ａ）と同様に、このオーディ再生装置は現在ＨＤＤを用いていること、ＤＪ付きオーディオ再生においてロックＤＪを選択していることを示しており、またこのロックＤＪの再生処理を終了したいとき、或いはＤＪ付オーディオ再生処理を終了したいときに操作する「Ｆｉｎ」の表示部を設けた例を示している。なお、前記のようなアニメーション表示データはハードディスク等の大容量記録媒体を利用する場合には、効果的なアニメーションを多種類用意することができる。
【００４９】
次いで、前記ステップＳ８で予め設定した音量で開始したＤＪについて、例えば５秒間等の出力設定時間終了時点で、上記演算した平均音量ＢになるようにＤＪの音量を調整する（ステップＳ９）。このような音量調整を行いつつＤＪの出力が行われ、その後このＤＪの出力が終了したか否かを判別する（ステップＳ１０）。その結果、未だＤＪの出力が終了していないと判別したときには、前記ステップＳ９のＤＪ音量を調整しながらＤＪ出力を行う作動を繰り返し、ＤＪ出力が終了したと判別したときには、第１番目の曲の再生出力を開始する（ステップＳ１１）。
【００５０】
これらの作動は、図１のＤＪ音声出力部３１において、ＤＪ選択部２４で選択したＤＪのデータを、ＤＪ音量調整部３０で前記平均音量演算部２８において演算した音量調整値に基づいて音量調整しつつ出力することにより行うことができる。その後、前記第１番の曲の再生出力中に、現在再生中の曲の最後の所定時間の平均音量Ａを演算し、次いでステップＳ１３において、図３のステップＳ２１に進む。なお、この平均音量Ａの演算は、図１における平均音量演算部２６における現在再生曲の曲終わり所定部分平均音量演算部２７において行う。
【００５１】
前記ステップＳ５において、利用者が選択したジャンル等の曲種類に該当する曲がオーディオ記録媒体に存在しないと判別したときには、該当する曲が存在しないことを表示し（ステップＳ１４）、その際に他のジャンル等の他の曲種類を選択するか否かの表示を行う等によって利用者にその旨を出力し（ステップＳ１５）、利用者が他のジャンルの選択を行う問いにはステップＳ２に戻って前記作動を繰り返す。また、利用者がそのジャンル等の曲種類以外の再生は必要ないとしてそのまま放置したとき等には、図３のステップＳ３７に進んでこのＤＪ付きオーディオ再生処理を終了する（ステップＳ１６）。
【００５２】
図３には前記図２のステップＳ１３以降の作動として、図２におけるＤＪ付オーディオ再生処理の初期段階及び第１曲目の再生作動に関連した処理に引き続いて行われる、それ以降の定常的な作動フローを示しており、図示実施例においてはここで、現在再生している曲で設定した再生曲数になるか否かの判別を行っている（ステップＳ２１）。この作動は図１の再生曲数計数部２２において、再生曲データ先読み記録部に記録された曲をカウントし、例えば１０曲等の所定の曲数に達したか否かを判別することによって行っている。
【００５３】
ステップＳ２１において、特に上記のように第１曲目の再生中においては未だ１０曲等の所定の再生曲数に達することはないのでステップＳ２２に進み、次の曲の検索を行う（ステップＳ２２）。その後、次に再生する曲は存在するか否かを判別し（ステップＳ２３）、存在するときにはその検索結果得られた次に再生する曲のデータの読み出し、記録する（ステップＳ２４）。この作動前記図２のステップＳ６と同様に、図１の指定種類曲検索部１５において検索を行い、検索結果のデータをシステムデコーダ６から再生曲データ先読み記録部１６に出力し、現在再生している曲を記録している以外の記録部に対して記録することにより行う。
【００５４】
その後、前記図２のステップＳ７と同様に、次に再生する曲の最初の所定時間の平均音量Ｂを演算する（ステップＳ２５）。次いで、現在再生中の曲は終了したか否かを判別する（ステップＳ２６）。この作動は図１の再生終了検出部２１が、指定曲再生・出力部２０の作動を検出することにより、現在再生している曲のオーディオデータが全て出力したことを検出することにより行う。ここで、未だ終了していないと判別したときには、終了するまでこの作動を繰り返して待機する。
【００５５】
ここで、現在再生している曲の再生が全て終了したと判別したときには、前記図２のステップＳ１２において演算した平均音量Ａ、または第２曲目以後に出力するＤＪについては、後のステップＳ３１で行われる現在再生中の曲の最後の所定時間の平均音量ＡでＤＪ出力を開始する（ステップＳ２７）。前記図２に示す第１曲目の再生を開始する前のＤＪ出力時には、設定音量で出力を開始（ステップＳ８）したのに対して、第１曲目の再生開始後については、再生出力を終了した曲の最後の所定時間の平均音量でＤＪを開始する点で異なり、それ以降は前記図２のステップＳ９以降の作動とほぼ同様の作動を行うこととなる。
【００５６】
即ち、ステップＳ２７において出力を開始したＤＪの音量を、上記のように演算した次の曲の最初の所定時間の平均音量である音量Ｂになるように調整を行い（ステップＳ２８）、ＤＪの出力が終了するまでその作動を繰り返し（ステップＳ２９）、終了したときには次の曲の再生出力を開始し（ステップＳ３０）、その後現在再生中の曲の最後の所定時間の平均音量Ａを演算する（ステップＳ３１）。
【００５７】
上記のようなＤＪ出力の音量調整は図７に示すように行われる。即ち、図７に示す例においてはその上方に示すように、最初にＡ曲が再生され、その後ＤＪ出力がなされ、次いでＢ曲が再生されるとき、各曲の音量Ｖが経過時間に沿って変化している例が示されている。この例においては時刻ｔ１０においてＡ曲の再生が終了し、５秒後の時刻ｔ１５においてＢ曲の再生が開始され、その間のｔ１０〜ｔ１５の５秒間にＤＪの出力が行われる。
【００５８】
図７に示す例においては、Ａ曲の再生が開始するとＡ曲の最後の所定時間として時刻ｔ７〜ｔ１０迄の３秒の時間（ＴＡｆ）が選択され、その間の音量の平均値（ＶＡｆ）が演算される。次いでＡ曲の再生中に次に再生する曲の検索が行われれ、Ｂ曲が検索されるとそのデータの読み出しと記録が行われる。その後このＢ曲について最初の所定時間であるｔ１５〜ｔ１８の３秒の時間（ＴＢｓ）を選択し、音量の平均値（ＶＢｓ）を演算する。
【００５９】
その結果、Ａ曲の再生が時刻ｔ１０で終了しＤＪ出力が開始するとき、Ａ曲の最後の所定時間ＴＡｆの平均音量（Ａ）であるＶＡｆでＤＪ出力が開始し、その後ＤＪ出力が終了する５秒後のｔ１５において次の曲の最初の所定時間ＴＢｓの平均音量（Ｂ）であるＶＢｓになる比率で徐々にその音量を変化させる。したがってＤＪ出力の音量調整幅は図示するようにＶＤＪとなる。このようにｔ１０でＤＪ出力を開始すること、図示の例では５秒間にＶＤＪだけ音量を上昇させる率でその後のＤＪの音量を上昇させることとなる。
【００６０】
なお、図示実施例においてはＡ曲の終わりの所定時間ＴＡｆにおける音量の平均値を演算する例を示したが、その他前記のようにこの間のピーク音量を利用することもでき、図７に示す例においてはＶＰＡがＴＡｆ間でのピーク音量となる。同様にＢ曲の初めの所定時間ＴＢｓにおいてもこの間のピーク音量を利用することができ、同図に示す例においてはＶＰＢがＴＢｓ間でのピーク音量となる。したがってＤＪ出力の開始時にはＶＰＡの音量で出力を開始し、終了時にはＶＰＢの音量で出力を終了することとなる。
【００６１】
上記のようなＤＪ出力と、その音量調整を行う結果、このオーディオ再生装置は図８に示す例のように一連の作動がなされる。即ち、時刻ａにおいてＤＪ付再生の作動が開始されるとき、予め定めた設定音量Ｖｓで最初のＤＪの出力を開始し、時刻ｂとｃ間であるＴ１ｓの平均音量Ｖ１ｓの音量でＤＪが終了する。その後時刻ｂで第１曲の再生が開始し、時刻ｅで終了する。時刻ｅからは曲間ＤＪを開始し、その時の音量は第１曲の終わりの所定時間である時刻ｄとｅ間のＴ１ｆの平均音量Ｖ１ｆの音量でＤＪを開始する。その後時刻ｆで第２曲の再生が開始し、時刻ｉで終了する。このような作動を繰り返すことにより、一連のＤＪ付きオーディオ再生がなされる。
【００６２】
上記のような作動を繰り返すため、図３の前記ステップＳ３１で現在再生曲の最後の所定時間の平均音量Ａを演算した後はステップＳ２１に戻り、現在再生している曲で、予め設定した例えば１０曲等の再生曲数になるか否かを判別し、未だ設定した再生曲数に至っていないときには前記作動を繰り返す。
【００６３】
その後、ステップＳ２１で例えば１０曲等の設定した再生曲数になったと判別したときには、ＤＪ機能を継続するか否か判別し（ステップＳ３３）、利用者に対して継続するか否かの表示を行う等により判断を促し、次のジャンル等の曲種類の選択が行われたときにはステップＳ３３でＤＪ機能を継続するものと判別し、ステップＳ３４において図２のステップＳ２に戻り、ジャンル等の選択から以降同様の作動を繰り返す。
【００６４】
また、前記ステップＳ２３における次に再生する曲は存在するか否かの判別において、ステップＳ２１で未だ設定した再生曲数に至っていない前にオーディオ記録媒体に記録されている曲の中には、指定したジャンル等の曲種類に該当する曲が存在しない場合にはその旨を表示し（ステップＳ３５）、続いてステップＳ３３に進んで前記と同様にＤＪ機能を継続するか否かの判別を行い、以降同様の作動を繰り返す。ステップＳ３３において、利用者がこの機能を終了する旨の入力を行う等により、ＤＪ機能を継続しないと判別したときには、ＤＪ付きオーディオ再生処理を終了する（ステップＳ３６）。
【００６５】
本発明は上記のようにハードディスク等の大容量記録媒体に、高度に圧縮され且つジャンル等の情報が記録されているＭＰ３方式でオーディオデータを記録し、これを再生するときに有効に利用することができるものであるが、その他前記のようにＷＭＡ方式で記録したオーディオデータや、このようなデータ圧縮技術を用いることなく、通常のＣＤ、ＭＤ或いはＤＶＤオーディオの記録方式、更にはＷＡＶＥ等の種々のオーディオ記録方式でハードディスク等に大量に記録しておき、これを再生するに際して前記のような曲間ＤＪ付き再生を行うようにしても良い。
【００６６】
その際には、必ずしもジャンルに合わせたＤＪを選択して行う必要はなく、曲間の無音状態をなくすために所定のＤＪ出力を行うようにしても良い。また、曲の種類としてア−ティストを指定して検索を行い、順に再生するに際して、所定のＤＪを出力する以外に、予め著名なアーティストについてはジャンルとの対照表を用意して記録しておき、アーティストに合わせて選択されるＤＪ出力を行わせても良い。更に、ＤＪの出力内容についても自由に設定することができ、例えば指定したジャンルの残り曲数を音声で出力する形式のＤＪを行う等、曲間の無音状態をなくす、或いは少なくするために種々の態様のＤＪ出力を行うことができる。また、このオーディオ再生装置は、一般家庭用、携帯用、車両用等、種々の分野において使用することができる。
【００６７】
【発明の効果】
本発明に係る曲間ＤＪ付オーディオ再生装置において、オーディオデータを記録したオーディオ記録媒体から所定の種類の曲を検索する検索手段と、前記検索手段により得られた曲を順に再生して出力するオーディオ再生手段と、前記順に再生して出力する第１と第２の曲間にＤＪを挿入するＤＪ出力手段とを備えたものにおいては、多数の曲の中から例えばジャンル等を指定して検索を行い、該当する曲を順に再生するに際し、再生する曲が変わることを利用者に明瞭に示すことができ、且つ、曲の間に長い無音の時間が存在しないようにして、前の曲と次の曲との間で利用者の楽しい気分をさめさせないようにすることができる。
【００６８】
また、前記のような曲間ＤＪ付オーディオ再生装置において、前記ＤＪ出力手段から出力するＤＪを、前記検索手段で検索する曲の種類に応じて異なるようにしたものにおいては、再生する曲の雰囲気に合わせた適切なＤＪ出力を行うことができ、利用者に対して興味を抱かせるＤＪ出力を行うことができる。
【００６９】
また、前記曲間ＤＪ付オーディオ再生装置において、前記所定の種類の曲を、所定のジャンルの曲としたものにおいては、曲のジャンルの相違により曲の雰囲気が大きく異なるのに対応して、適切な雰囲気のＤＪ出力を行うことができる。
【００７０】
また、前記曲間ＤＪ付オーディオ再生装置において、前記第１の曲の終わりの所定時間の平均音量と、前記第２の曲の初めの所定時間の平均音量とを演算する平均音量演算手段を備え、前記ＤＪ出力手段から出力するＤＪは、前記第１の曲の終わりの所定時間の平均音量で出力を開始し、前記第２の曲の初めの所定時間の平均音量で出力を終了するようにしたＤＪ音量調整手段を備えたものにおいては、例えば前の曲のエンディング部分が音量が小さく比較的静かな状態が続いて曲が終了した後、次の曲の立ち上げ部分が極めて大きな音量であっるときには、利用者にとって予期せぬ大音量に驚かされ不愉快に感じることがあるが、前記ＤＪの音量を前の曲のエンディング部分の平均音量から次の曲の出初め部分の平均音量に徐々に変化させによって、前記のような不愉快な感じを抱かせないようにし、自然に連続して曲を聴くことができるようになる。
【００７１】
また、前記曲間ＤＪ付オーディオ再生装置において、前記第１の曲の終わりの所定時間のピーク音量と、前記第２の曲の初めの所定時間のピーク音量とを検出するピーク音量検出手段を備え、前記ＤＪ出力手段から出力するＤＪは、前記第１の曲の終わりの所定時間のピーク音量で出力を開始し、前記第２の曲の初めの所定時間のピーク音量で出力を終了するＤＪ音量調整手段を備えたものにおいては、前記と同様にＤＪ出力を前の曲のエンディング部分の音量から後の曲ので初め部分の音量に徐々に変化させることができ、前記のような不愉快な感じを抱かせないようにし、自然に連続して曲を聴くことができるようになる。また、その時の調整音量の演算は、単にピーク音量を検出するのみであるため、容易に、且つ素早く求めることができる。
【００７２】
また、前記曲間ＤＪ付オーディオ再生装置において、各種情報を表示する画像表示手段を備え、前記ＤＪ出力時に、ＤＪ出力に対応した画像を前記画像表示手段に出力するＤＪ画像出力手段を備えたものにおいては、ＤＪ出力と同時にそのＤＪに応じた効果的な画像を表示することができ、利用者にとって良好な雰囲気でオーディオを楽しむことができる。
【図面の簡単な説明】
【図１】本発明の実施例の機能ブロック図である。
【図２】同実施例の曲間ＤＪ付オーディオ再生処理を行う第１の作動フロー図である。
【図３】前記第１の作動フローに引き続き行う第２の作動フロー図である。
【図４】オーディオ記録媒体に記録されるオーディオデータがＭＰ３形式であるとき、そのＩＤ３タグ部分に記録されているデータの例を示す図である。
【図５】前記ＭＰ３のＩＤタグに記録されているジャンルの番号とその番号に対応するジャンル名の例を示す図である。
【図６】本発明の実施例において、曲間ＤＪを行うときに画像表示部に表示する画像の例を示す図である。
【図７】同実施例において、ＤＪ出力の音量調整を行う説明図である。
【図８】同実施例において、ＤＪ出力と曲再生の一連の作動状態を説明する図である。
【符号の説明】
１  オーディオ記録媒体作動部    ２  オーディオ記録媒体
３  データアクセスドライバ      ４  データ取込部
６  システムデコーダ            ７  ファイル情報
８  オーディオデータ            １１  システムコントローラ
１２  各種操作部                １３  ＤＪ付再生機能選択部
１４  再生曲種類指定部          １５  指定種類曲検索部
１６  再生曲データ先読み記録部  １７  第１記録部
１８  第２記録部                ２０  指定曲再生・出力部
２１  再生終了検出部            ２２  再生曲数計数部
２３  ＤＪ出力用データメモリ    ２４  ＤＪ選択部
２５  ＤＪ出力終了検出部        ２６  平均音量演算部
２７  現在再生曲の曲終わり所定部分平均音量演算部
２８  次再生曲の曲初め所定部分平均音量演算部
３０  ＤＪ音量調整部            ３１  ＤＪ音声出力部
３２  オーディオ出力部          ３３  画像表示部
３４  ＤＪ画像出力部
【図１】
2004280911.tif 000003
【図２】
2004280911.tif 000004
【図３】
2004280911.tif 000005
【図４】
2004280911.tif 000006
【図５】
2004280911.tif 000007
【図６】
2004280911.tif 000008
【図７】
2004280911.tif 000009
【図８】
2004280911.tif 000010